【事件の表示】
　特許第３２７７２４８号「配線用フロアーパネルのボーダブロック」の請求項１ないし６に係る特許に対する特許異議の申立てについて、次のとおり決定する。
【結　論】
　訂正を認める。
　特許第３２７７２４８号の請求項１ないし５に係る特許を取り消す。
【理　由】
１．手続の経緯
　特許第３２７７２４８号の発明についての出願は、平成８年９月３０日に出願され、平成１４年２月１５日にその発明についての特許権の設定登録がなされ、その後、江井浩孝より特許異議の申立てがなされ、取消しの理由が通知され、その指定期間内である平成１５年３月１０日に訂正請求がなされたものである。
　
２．訂正の適否についての判断
（１）訂正の内容
　平成１５年３月１０日付けの訂正請求に係る訂正事項は、以下のとおりである。
　
ａ．明細書の「特許請求の範囲」の欄を下記の通り訂正する。
「【請求項１】
　配線を収容して隠蔽するために敷設されたフロアーパネルの敷設床面や壁面との間に生じた隙間部分に、嵌込んで使用するためのボーダブロックであって、
　ブロック本体は、支持板の裏面に、複数のリブ柱を、所定の間隙を保持して、縦横に格子状に配列して突設するとともに、支持板の上面には、上記間隙に対応した切込み溝を形成し、
　この切込み溝は、異なる寸法の枡目が形成されるように断面Ｖ字状に形成され、上記リブ柱を枡目に対応して突設させており、
　上記切込み溝に沿って１つまたは複数の枡目を切り取って使用するようにした、配線用フロアーパネルのボーダブロック。
【請求項２】
　請求項１において、上記リブ柱は、その中央に突設されたものの寸法が、その外周に突設されたものよりも大きい寸法に形成されている配線用フロアーパネルのボーダブロック。
【請求項３】
　請求項２において、上記リブ柱は、ブロック本体の上面に形成される枡目が大きいものには、大きいリブ柱が形成され、枡目の小さいものには、小さいリブ柱が形成された構造となっている配線用フロアーパネルのボーダブロック。
【請求項４】
　請求項１〜３のいずれかにおいて、上記リブ柱は、Ｘ字状に形成されている配線用フロアーパネルのボーダブロック。
【請求項５】
　請求項１〜４のいずれかにおいて、ブロック本体は、その支持板の裏面には、リブ柱が突設されていない隙間によって形成された配線挿通路を設けている構造としている配線用フロアーパネルのボーダブロック。」
　
ｂ．明細書の段落［０００７］の「埋め合わせ材として使用される」を「埋め合わせ材として、切込み溝に沿って１つまたは複数の枡目を切り取って使用される」と訂正する。
　
ｃ．明細書の段落［００１３］を削除する。
　
ｄ．明細書の段落［００１４］の「したがって、このボーダブロックでは、小さい隙間に対しては、ブロック本体の周囲から切り取って行けばよいので、容易に対応でき、作業性がよい。請求項３の」を「請求項２の」と、「基本構造に、更に請求項２において引用されているリブ柱を」を「基本構造に、その中央に突設されたものの寸法が、その外周に突設されたものより大きい寸法に形成されているリブ柱を」と訂正する。
　
ｅ．明細書の段落［００１５］の「請求項４の」を「請求項３の」と訂正する。
　
ｆ．明細書の段落［００１７］の「請求項５の」を「請求項４の」と、「請求項１〜４の」を「請求項１〜３の」と訂正する。
　
ｇ．明細書の段落［００１８］の「請求項６の」を「請求項５の」と、「請求項１〜５の」を「請求項１〜４の」と訂正する。
　
ｈ．明細書の段落［００３８］の「請求項２、３の」を「請求項２の」と訂正する。
　
ｉ．明細書の段落［００３９］の「請求項４の」を「請求項３の」と訂正する。
　
ｊ．明細書の段落［００４０］の「請求項５の」を「請求項４の」と訂正する。
　
ｋ．明細書の段落［００４１］の「請求項６の」を「請求項５の」と訂正する。
　
（２）訂正の目的の適否、新規事項の有無、及び特許請求の範囲の拡張・変更の存否
　上記訂正事項ａは、特許請求の範囲の減縮、誤記の訂正、あるいは、明りょうでない記載の釈明を目的とした明細書の訂正に該当し、新規事項の追加に該当せず、実質上特許請求の範囲を拡張し、又は変更するものではない。
　上記訂正事項ｂ〜ｋは、訂正事項ａに整合させたものであって、明りょうでない記載の釈明を目的とした明細書の訂正に該当し、いずれも、新規事項の追加に該当せず、実質的に特許請求の範囲を拡張し、又は変更するものではない。
　
（３）むすび
　したがって、上記訂正は、特許法第１２０条の４第２項及び同条第３項において準用する第１２６条第２項及び第３項の規定に適合するので、当該訂正を認める。
　
３．特許異議の申立てについての判断
（１）本件発明
　上記２．で示したように上記訂正が認められるから、本件の請求項１〜５に係る発明は、上記訂正に係る訂正明細書の特許請求の範囲に記載された事項により特定されるとおりのものである。（上記２．（１）訂正事項ａ．参照。以下、請求項１〜５に係る発明をそれぞれ「本件発明１」〜「本件発明５」という。）
　
（２）引用刊行物に記載された発明
　当審が平成１４年１２月１６日付けで通知した取消理由において引用した本件出願前に頒布された刊行物１及び２には、それぞれ以下の事項が記載されている。
　ア．刊行物１：特開平５−１８０９５号公報（甲第３号証。）
　上記刊行物１には、床面配線施工法に関する発明について以下のように記載されている。
「本発明によって床面配線を施工するには、図２の（イ）に示すように、床面上に上記配線用パネルを床面中央部から周辺部に向かって敷き詰めていく。」（段落【００１４】）
「図２の（ロ）において、４２は最終的に残った幅がＡ／２以下の床面周辺スペースを示し、寸法出しを容易に行い得るプラスチック製スペーサーを、その最終スペースの幅に合わせて切断し、図２の（ハ）に示すようにその寸法出したスペーサーＡ’，Ｂ’，・・・Ｂ”をその最終スペース４２に嵌め込んでいく。このスペーサーには、横幅が一定で縦幅を切断用溝での切断によって容易に所定縦幅に寸法出しできる電線挿通用のスペーサーＡと横幅並びに縦幅とも切断用溝での切断によって容易に寸法出しできるスペーサーＢとが用いられる。」（段落【００１６】）
「図４の（イ）はスペーサーＢの平面図を、図４の（ロ）は図４の（イ）におけるロ−ロ断面図をそれぞれ示し、プラスチック製であり、複数本の横方向溝７２，・・・並びに複数本の縦方向溝７１，・・・を有し、選択した横方向切断用溝での切断によって縦幅を所定幅に寸法出しでき、選択した縦方向切断用溝での切断によって横幅を所定幅に寸法出しできる。」（段落【００１８】）
　そして、【図４】には、縦方向溝と横方向溝で異なる寸法の枡目が形成されることが記載されている。
　上記記載を含む刊行物１全体の記載、そして、配線用パネルは配線を収容して隠蔽するものであり、床面周囲には壁が形成されることは明らかであるり、選択した切断用溝での切断によって１つまたは複数の枡目を切り取って使用することは明らかであるから、刊行物１には、次の発明が記載されているものと認められる。
「配線を収容して隠蔽するために敷設された配線用パネルの壁面との間に生じた隙間部分に、嵌込んで使用するためのスペーサーであって、
　スペーサー本体は、上面に溝を形成し、
　この溝は、異なる寸法の枡目が形成されるように形成されており、
　上記溝に沿って１つまたは複数の枡目を切り取って使用するようにした、配線用パネルのスペーサー。」
　
　イ．刊行物２：実願昭５８−１０５６１５号（実開昭６０−１１９４６号）のマイクロフィルム
　上記刊行物２には、建物用床板に関する発明について以下のように記載されている。
「１　板体とその隅部に設けられた脚部とからなる建物動用床板において、板体（１）に切断講（３）を設けて複数に分画して分画部（４）を形成し、各分画部（４）間及び各分画部の隅部に形成された脚部（２）間を切離し可能に連結してなることを特徴とする建物用床板。」（実用新案登録請求の範囲）
「板体（１）に切断溝（３）を設けて複数に分画して分画部（４）を形成している。各分画部（４）にはその隅部に脚部（２）が設けられている。そして分画部（４）間は切離し可能に連結している。この連結は種々の方法によることができ、その例を第３図〜第１０図に示した。第３図の例は、板体（１）の分画部（４）（４）間及び脚部（２）（２）間の切断構（３）内に薄肉部（５）を設けている。薄肉部（５）は連続的又は間欠的に設ける。」（第３頁第１〜１０行）
「第７図〜第１０図に示したのは脚部で連結しないで切断溝（３）の部分で連結した例である。第７図の例は切断講（３）が完全には切断されず薄い状態で連結されている。」（第４頁第３〜６行）
「各分画部間を切断溝（３）部分で分離させたり屈曲させる。」（第４頁第１８〜１９行）
　そして、第２図には、板体１の裏面に複数の脚部２を所定の間隙を保持して縦横に格子状に配列するとともに、切断溝３は分画部を形成し、脚部２は分画部４に対応して突設されていることが記載され、第７図には、板体１の上面に脚部２間の間隙に対応して溝が形成されていることが記載されている。
　上記記載を含む刊行物２全体の記載から、刊行物２には、次の発明が記載されているものと認められる。
「板体１の裏面に、複数の脚部２を、所定の間隙を保持して、縦横に格子状に配列して突設するとともに、板体１の上面には、上記間隙に対応した溝を形成し、上記脚部を溝で形成された分画部に対応して突設させている建物用床板。」
　
（３）対比、判断
（ａ）本件発明１について
　本件発明１と刊行物１記載の発明とを対比すると、刊行物１記載の発明の「配線用パネル」及び「スペーサー」は、それぞれ本件発明１の「フロアーパネル」及び「ボーダブロック」に相当し、切り込み溝は溝であるから、両発明は、
「配線を収容して隠蔽するために敷設されたフロアーパネルの壁面との間に生じた隙間部分に、嵌込んで使用するためのボーダブロックであって、
　ブロック本体は、上面に溝を形成し、
　この溝は、異なる寸法の枡目が形成されるように形成されており、
　上記溝に沿って１つまたは複数の枡目を切り取って使用するようにした、配線用フロアーパネルのボーダブロック。」
の点で一致しており、以下の点で相違している。
　
相違点：ブロック本体に関して、本件発明１が、支持板の裏面に、複数のリブ柱を、所定の間隙を保持して、縦横に格子状に配列して突設するとともに、支持板の上面には、上記間隙に対応した切込み溝を形成し、上記リブ柱を断面Ｖ字状の切り込み溝で形成された枡目に対応して突設させているのに対し、刊行物１記載の発明は、そのような構成になっていない点。
　
　上記相違点に関し検討する。
　刊行物２には、支持板（板体１が相当する。）の裏面に、複数の柱（脚部が相当する。）を、所定の間隙を保持して突設するとともに、支持板の上面には、上記間隙に対応した溝を形成し、上記柱を溝で形成した枡目（分画部が相当する。）に対応して突設させている建物用床板が記載されており、柱をリブ柱とする点は周知技術（例えば、実願昭６２−９５１４３号（実開昭６４−１０１４０号）のマイクロフィルム（甲第１号証）、実願昭５８−１３８６７１号（実開昭６０−４４９４７号）のマイクロフィルム（甲第２号証）、特開平８−２８００９号公報（甲第４号証））であり、溝をＶ字状の切り込み溝とする点は単なる設計事項であり、さらに刊行物１記載の発明も刊行物２記載の発明もいずれも溝で分割して敷設される床材の点で共通するから、刊行物２記載の発明を刊行物１記載の発明に適用し、本願発明１の上記相違点に係る構成とすることは、当業者が容易に想到し得るものである。
　そして、本件発明１の構成によってもたらされる効果も、刊行物１、２記載の発明及び周知技術から当業者が容易に予測しうる程度のものである。
　
（ｂ）本件発明２について
　本件発明２は、本件発明１を引用し、本件発明１の構成を「リブ柱は、その中央に突設されたものの寸法が、その外周に突設されたものよりも大きい寸法に形成されている」と技術的に限定したものであるので、この限定した事項について検討する。
　中央に突設されたリブ柱の寸法が、その外周に突設されたものよりも大きい寸法に形成される点は、単に柱寸法を変更したにすぎず、当業者が容易になし得る程度の事項であり、この点で格別の効果を奏するものではない。
　
（ｃ）本件発明３について
　本件発明３は、本件発明２を引用し、本件発明２の構成を「リブ柱は、ブロック本体の上面に形成される枡目が大きいものには、大きいリブ柱が形成され、枡目の小さいものには、小さいリブ柱が形成された構造となっている」と技術的に限定したものであるので、この限定した事項について検討する。
　枡目の大きさに合わせてリブ柱の大きさを寸法変更することは当業者が容易になし得る程度の事項であり、この点で格別の効果を奏するものではない。
　
（ｄ）本件発明４について
　本件発明４は、本件発明１〜３のいずれかを引用し、本件発明１〜３の構成を「リブ柱は、Ｘ字状に形成されている」と技術的に限定したものであるので、この限定した事項について検討する。
　リブ柱をＸ字状に形成することは周知技術（例えば、実願昭６２−９５１４３号（実開昭６４−１０１４０号）のマイクロフィルム、特開平８−２８００９号公報）であり、該技術を適用し、本件発明４の上記限定事項に係る構成とすることは当業者が容易に想到し得るものである。
　そして、本件発明４の構成によってもたらされる効果も、刊行物１、２記載の発明及び周知技術から当業者が容易に予測しうる程度のものである。
　
（ｅ）本件発明５について
　本件発明５は、本件発明１〜４のいずれかを引用し、本件発明１〜４の構成を「ブロック本体は、その支持板の裏面には、リブ柱が突設されていない隙間によって形成された配線挿通路を設けている構造としている」と技術的に限定したものであるので、この限定した事項について検討する。
　支持板の裏面のリブ柱が突設されていない隙間を配線挿通路とすることは周知技術（例えば、実願昭６２−９５１４３号（実開昭６４−１０１４０号）のマイクロフィルム）であり、該技術を適用し、本件発明５の上記限定事項に係る構成とすることは当業者が容易に想到し得るものである。
　そして、本件発明５の構成によってもたらされる効果も、刊行物１、２記載の発明及び周知技術から当業者が容易に予測しうる程度のものである。
　
（４）むすび
　以上のとおりであるから、本件発明１〜５は、その出願日前に頒布された刊行物に記載された発明に基いて当業者が容易に発明をすることができたものであるから、本件発明１〜５についての特許は、特許法第２９条第２項の規定に違反してなされたものである。
　したがって、本件発明１〜５についての特許は、特許法第１１３条第２号に該当し、取り消されるべきものである。
　よって、結論のとおり決定する。       
【異議決定日】
平成１５年３月３１日（２００３．３．３１）
【訂正の要旨】
　ａ．特許請求の範囲の請求項１において、「突設させている配線用」とあるのを「突設させており、上記切込み溝に沿って１つまたは複数の枡目を切り取って使用するようにした、配線用」と訂正する。
　ｂ．特許請求の範囲の請求項２を削除する。（クレーム対応表参照）
　ｃ．特許請求の範囲の請求項３を請求項２とする。
　ｄ．特許請求の範囲の請求項４を請求項３とし、「請求項２、３のいずれか」とあるのを「請求項２」と訂正する。
　ｅ．特許請求の範囲の請求項５を請求項４とし、「請求項１〜４のいずれか」とあるのを「請求項１〜３のいずれか」と訂正する。
　ｆ．特許請求の範囲の請求項６を請求項５とし、「請求項１〜５において」とあるのを「請求項１〜４のいずれかにおいて」と訂正する。
　ｇ．特許請求の範囲の請求項１の記載と発明の詳細な説明の記載との整合をとるため、段落番号０００７において、「埋め合わせ材として使用される」とあるのを「埋め合わせ材として、切込み溝に沿って１つまたは複数の枡目を切り取って使用される」と訂正する。
　ｈ．段落番号００１３を削除する。
　ｉ．段落番号００１４において、「したがって、このボーダブロックでは、小さい隙間に対しては、ブロック本体の周囲から切り取って行けばよいので、容易に対応でき、作業性がよい。請求項３の」とあるを「請求項２の」と、「基本構造に、更に請求項２において引用されているリブ柱を」とあるのを「基本構造に、その中央に突設されたものの寸法が、その外周に突設されたものより大きい寸法に形成されているリブ柱を」と訂正する。
　ｊ．段落番号００１５において、「請求項４の」とあるのを「請求項３の」と訂正する。
　ｋ．段落番号００１７において、「請求項５の」とあるのを「請求項４の」と、「請求項１〜４の」とあるのを「請求項１〜３の」と訂正する。
　ｌ．段落番号００１８において、「請求項６の」とあるのを「請求項５の」と、「請求項１〜５の」とあるのを「請求項１〜４の」と訂正する。
　ｍ．段落番号００３８において、「請求項２、３の」とあるのを「請求項２の」と訂正する。
　ｎ．段落番号００３９において、「請求項４の」とあるのを「請求項３の」と訂正する。
　ｏ．段落番号００４０において、「請求項５の」とあるのを「請求項４の」と訂正する。
　ｐ．段落番号００４１において、「請求項６の」とあるのを「請求項５の」と訂正する。
（５４）【発明の名称】
配線用フロアーパネルのボーダブロック
（５７）【特許請求の範囲】
　【請求項１】
　配線を収容して隠蔽するために敷設されたフロアーパネルの敷設床面や壁面との間に生じた隙間部分に、嵌込んで使用するためのボーダブロックであって、
　ブロック本体は、支持板の裏面に、複数のリブ柱を、所定の間隙を保持して、縦横に格子状に配列して突設するとともに、支持板の上面には、上記間隙に対応した切込み溝を形成し、
　この切込み溝は、異なる寸法の枡目が形成されるように断面Ｖ字状に形成され、上記リブ柱を枡目に対応して突設
させており、
　
上記切込み溝に沿って１つまたは複数の枡目を切り取って使用するようにした、配線用
　【請求項
２
　請求項１において、上記リブ柱は、その中央に突設されたものの寸法が、その外周に突設されたものよりも大きい寸法に形成されている配線用フロアーパネルのボーダブロック。
　【請求項
３
　
請求項２
　【請求項
４
　請求項
１〜３の
　【請求項
５
　請求項
１〜４のいずれかに
【発明の詳細な説明】
　【０００１】
　【発明の属する技術分野】
　本発明は、配線を収容して隠蔽するために敷設されたフロアーパネルの隙間部分に、嵌込んで使用するための配線用フロアーパネルのボーダブロックに関する。
　【０００２】
　【従来の技術】
　オフィスのＯＡ化が進んだ近時においては、オフィスの床面に通信線やＯＡ機器の配線が露出しないようにフロアーパネルを敷設することが広く行われているが、このようなフロアーパネルは規格のサイズに形成されているため、床面に敷設した際には、必ず隙間を生じてしまう。そのため、フロアーパネルどうしの間やフロアーパネルと壁面との間に生じた隙間には、フロアーパネルと同じ高さ寸法のボーダブロックが使用されている。
　【０００３】
　図１２や図１３は、従来公知のボーダブロックを示している。
　【０００４】
　このボーダブロックｃは、フロアーパネルと同じ合成樹脂で形成されており、底部を開口ｄさせ、底面まで達する程度の深い溝ｅを形成して薄肉連結部ｂで連結した、同じ寸法の凸部ａを、上面ｆに支持部として形成した構造となっており、床面の不陸に対応して変形して対応できるようになっている。
　【０００５】
　【発明が解決しようとする課題】
　しかしながら、このような構造のものでは、支持部となる上面ｆの凸部ａは、同じ寸法に形成されているため、床面の不陸に十分に対応させようとすれば、全体として薄肉となって床面に対して十分な荷重に耐えられず、また十分な荷重に耐えられるようにするため、上面ｆの凸部ａの部分のみを肉厚にすれば、全体として重量になってしまい、形成も困難になるなどの問題があった。
　【０００６】
　本発明は上記従来の問題を解消し、フロアーパネルと柱又は壁面等との間の間隙に合致した寸法に容易に切断して使用することができてフロアーパネル設置面や壁面との間に生じた隙間に嵌め入れることができて作業性がよく、床面の荷重も十分に支持することができ、床の不陸に対しても適度に変形させて対応することがでる。外観上も優れた配線用フロアーパネルのボーダブロックを提供することを目的としている。
　【０００７】
　【課題を解決するための手段】
　本発明は、上記目的を達成するために提案されたものであって、請求項１の配線用フロアーパネルのボーダブロックは、配線を収容して隠蔽するために敷設されたフロアーパネルの敷設床面や壁面との間に生じた隙間部分に、嵌込んで使用するためのボーダブロックであって、ブロック本体は、支持板の裏面に、複数のリブ柱を、所定の間隙を保持して、縦横に格子状に配列して突設するとともに、支持板の上面には、上記間隙に対応した切込み溝を形成しており、この切込み溝は、異なる寸法の枡目が形成されるように断面Ｖ字状に形成されるとともに、上記リブ柱を枡目に対応して突設した構造としており、フロアーパネルを敷設した床面の一部に形成された隙間の埋め合わせ材と
して、切込み溝に沿って１つまたは複数の枡目を切り取って使用
　【０００８】
　このようなボーダブロックによれば、その上面にＶ字状の切込み溝を形成し、床面に突設させた支持リブどうしの間隙に応じて形成しているので、切断が容易であり、ブロック本体の上面に形成されたＶ字状の切込み溝によって区画される枡目には、必ずリブ柱が存在する。
　【０００９】
　そのため、ブロック本体の底面を見なくても、床面の隙間に応じた枡目を切り取れば、そのままリブ柱の存在する隙間補填材として使用できるため、作業性がよい。
　【００１０】
　ここに、リブ柱は、隣接するものどうしの間隙を適度にとれば、方形、三角形、井桁など支持柱として望ましい任意の形状に形成される。
　【００１１】
　ブロック本体の底面は開口させて軽量化を図っているが、その内部にはリブ柱を所定間隔で突設して形成しているので、床面の荷重は十分に支持できる。
　【００１２】
　更に、このようなボーダブロックは、合成樹脂の一体成型品として製造できるので、安価に提供できる。
　【００１４】
　
請求項２の
基本構造に、その中央に突設されたものの寸法が、その外周に突設されたものより大きい寸法に形成されているリブ柱を
　【００１５】
　
請求項３
　【００１６】
　このボーダブロックでは、床面の不陸の影響が大きい面積の大きい個所に対しては、大きい枡目に対応した大きい寸法のリブ柱で支持し、リブ柱どうしの間隙を十分に確保して、床の不陸に対して変形しやすい構造になっており、また、床面の不陸の影響の少ない面積の小さい個所に対しては、小さい枡目に対応した小さい寸法のリブ柱で支持している。
　【００１７】
　
請求項４
１〜３の
　【００１８】
　
請求項５
１〜４の
　【００１９】
　【発明の実施の形態】
　以下、本発明に係る配線用フロアーパネルのボーダブロックについて、図を参照しつつ説明する。
　【００２０】
　このボーダブロック１は、図８に示すように、通信線やＯＡ機器などの配線Ｈを収容して隠蔽するために敷設されたフロアーパネルＦの敷設床面Ｕや壁部との間に生じた隙間部分Ｓ，Ｓに、嵌込んで埋め合わせ材として使用するものである。
　【００２１】
　このボーダブロック１のブロック本体２は、図１〜図７に示すように、その開口させた底面の内部には、複数のＸ字状のリブ柱３ａ、３ｂを、所定の間隙４を保持して、縦横に格子状に配列して突設するとともに、上面には、間隙４に対応した切込み溝５を形成し、この切込み溝５には、異なる寸法の枡目が形成されるように断面Ｖ字状に形成された、リブ柱３ａ，３ｂを枡目に対応して突設した構造となっている。
　【００２２】
　更に、Ｘ字状のリブ柱３ａ、３ｂは、その中央に突設されたものの寸法が、その外周に突設されたものよりも大きい寸法に形成されている。
　【００２３】
　ブロック本体２の底面における長手方向２箇所に、Ｈ字状のリブ柱３ｃで区画されたリブ柱が突設されていない隙間６，６が形成されており、この隙間６，６に配線を通して施工することができるようになっている。
　【００２４】
　そして、Ｘ字状のリブ柱３ａ、３ｂは、ブロック本体２の上面に形成される枡目７ａが大きいものには、大きいＸ字状のリブ柱３ａが形成され、枡目７ｂの小さいものには、小さいＸ字状のリブ柱３ｂが形成された構造となっている。
　【００２５】
　このボーダブロック１は、フロアーパネルＦの敷設床面Ｕや壁面との間に生じた隙間部分Ｓの大きさに対応して、所定寸法の大きさに、その切込み溝５を切断してから、隙間部分Ｓに嵌め込まれて使用する。
　【００２６】
　ここで、上面の切込み溝５は、底面に突設したリブ柱３ａ、３ｂ、３ｃどうしの間隙に応じて形成されているので、切断も容易であり、床面Ｕに生じた隙間部分Ｓに応じた寸法に容易に切断して使用できる。
　【００２７】
　また、ブロック本体２の底面は、開口させて軽量化を図っているが、その内部には、Ｘ字状、Ｈ字状のリブ柱３ａ、３ｂ、３ｃを所定間隔で突設して形成しているため、床面に加わる荷重は十分に支持できるようになっている。
　【００２８】
　リブ柱は、任意の形状に形成されるが、図例のように、Ｘ字状に形成すれば、樹脂量を少なくして軽量化が図れる上に、リブ柱どうしの間隙を十分に採ることができるため、床の不陸に対しても、ブロック本体２を十分に変形させて対応することができる。
　【００２９】
　また、このボーダブロック１は、ブロック本体２とリブ柱３ａ、３ｂ、３ｃが一体に形成されているので、合成樹脂の一体成型品として製造できるので安価に提供することができる。
　【００３０】
　また、図例のように、小さい枡目７ａを周囲に形成しておけば、小さい隙間に対しては、ブロック本体２の周囲から切り取って行けばよいので、作業性がよい。
　【００３１】
　図９〜図１１は、別例のボーダブロック１Ａを示しており、これにおいては、切込み溝５は、異なる寸法の枡目７ａ、７ｂ、７ｃが形成されるように断面Ｖ字状に形成され、リブ柱３ａ、３ｂ、３ｃを枡目に対応して突設している。
　【００３２】
　この別例のボーダブロック１Ａでは、ブロック本体２Ａの上面に形成されたＶ字状の切込み溝５によって区画される枡目７ａ、７ｂ、７ｃには、空隙部６，６を除いて、その底面に必ずリブ柱３ａ、３ｂ、３ｃが存在するので、ブロック本体２Ａの底面を見なくても、床面の隙間部分Ｓに応じた枡目７ａ、７ｂ、７ｃを切り取れば、そのままリブ柱３ａ、３ｂ、３ｃの存在する隙間補填材として使用できるので、作業性がよい。
　【００３３】
　このものでは、ブロック本体２Ａの上面を見て枡目７ａ、７ｂ、７ｃがあれば、その枡目７ａ、７ｂ、７ｃの裏には必ずリブ柱３ａ、３ｂ、３ｃがあるので、その部分を抜き取れば、隙間補填材として使用できる。なお、枡目のない部分にはリブ柱がなく、隙間６，６になっており、リブ柱のない部分６，６には、配線を通して使用することができる。
　【００３４】
　【発明の効果】
　以上説明したように、請求項１の配線用フロアーパネルのボーダブロックによれば、ブロック本体の上面に形成された切込み溝を、底面に突設させたリブ柱どうしの間隙に応じて形成しているので、切断が容易であり、フロアーパネルを敷設した床面や壁面との間に生じた間隙に応じた寸法に切断して使用できる。
　【００３５】
　また、軽量でありながら表面のブロック本体をリブ柱で頑丈に支持した状態で間隙に嵌め入れることができるので作業性がよく、床面の荷重も十分に支持することができる。
　【００３６】
　更に、床の不陸に対しても適度に変形させて対応することができ、かつ外観上優れたものである。
　【００３７】
　更に、ブロック本体の上面に形成されたＶ字状の切込み溝によって区画される枡目には、その底面に必ずリブ柱が存在するので、ブロック本体を裏返してその底面を見なくても、床面の隙間に応じた枡目を切り取ることによって、そのままリブ柱の存在する隙間補填材として有効に使用でき、作業性がよい。
　【００３８】
　
請求項２の
　【００３９】
　
請求項３
　【００４０】
　したがって、床面の隙間の広い箇所には、大きいリブ柱で支持し、床面の隙間の小さい箇所には、小さいリブ柱で支持するので、支持板を薄肉に形成でき、全体として軽量化が図れ、床面の荷重にも十分に耐えられる。
請求項４
　【００４１】
　
請求項５
【図面の簡単な説明】
　【図１】本発明に係る配線用フロアーパネルのボーダブロックの一実施の形態を示す斜視図である。
　【図２】ボーダブロックの平面図である。
　【図３】ボーダブロックの正面図である。
　【図４】ボーダブロックの底面図である。
　【図５】ボーダブロックの図２におけるＡ−Ａ線断面図である。
　【図６】ボーダブロックの側面図である。
　【図７】ボーダブロックの図２におけるＢ−Ｂ線断面図である。
　【図８】床面に敷設されたフロアーパネルの隙間にボーダブロックを埋め合わせた状態の斜視図である。
　【図９】他の例のボーダブロックの平面図である。
　【図１０】他の例のボーダブロックの正面図である。
　【図１１】他の例のボーダブロックの底面図である。
　【図１２】従来のボーダ材の一例を示す斜視図である。
　【図１３】図１２のＣ−Ｃ線縦断面図である。
　【符号の説明】
　１，１Ａ　ボーダブロック
　２，２Ａ　ブロック本体
　３ａ、３ｂ　リブ柱
　４　間隙
　５　切込み溝
　７ａ，７ｃ，７ｃ　枡目
　Ｆ　フロアーパネル
　Ｕ　床面
　Ｓ　隙間部分